(57)【要約】【課題】動画の記録中に外部機器が接続されている場合であっても破綻なく記録を行う。【解決手段】撮像手段と、メモリと、前記撮像手段により得られた動画データを記録媒体に記録する記録手段と、前記撮像手段により得られた動画データを外部装置に出力する出力手段と、前記記録手段による動画データの記録中に、前記出力手段に接続された前記外部機器が記録装置であるか否かを判別し、前記出力手段に接続された前記外部機器が記録装置でない場合に、前記出力手段から出力する動画データの画面サイズを縮小して出力するように前記出力手段を制御する制御手段とを備える。【選択図】図４
2016208207.tif 000002
【特許請求の範囲】
【請求項１】
撮像手段と、
メモリと、
前記撮像手段により得られた動画データを記録媒体に記録する記録手段と、
前記撮像手段により得られた動画データを外部装置に出力する出力手段と、
前記記録手段による動画データの記録中に、前記出力手段に接続された前記外部機器が記録装置であるか否かを判別し、前記出力手段に接続された前記外部機器が記録装置でない場合に、前記出力手段から出力する動画データの画面サイズを縮小して出力するように前記出力手段を制御する制御手段とを備えることを特徴する撮像装置。
【発明の詳細な説明】
【技術分野】
【０００１】
本発明は、撮像装置に関する。
【背景技術】
【０００２】
電子カメラは撮像レンズを透過した光束を撮像素子で電気信号に変換し、更に撮像回路でデジタル画像信号に変換した後に、JPEG、MOV、MP4などの圧縮技術により圧縮してメモリに記憶する。また上記動作を高速に連続的に実施し高度な圧縮形式を用いて画質を保ちながら大量のデータをメモリに記録できる動画記録に対応した電子カメラも存在する。この様な電子カメラにおいて、動画記録中に静止画撮影が可能な電子カメラも存在する。
【０００３】
しかし、そのような電子カメラの場合、撮像センサの読み出しの手法やその後段の画処理の手法が違うという観点から、動画記録中の静止画撮影は一旦動画記録をやめて静止画を撮影してその処理が終了したら動画記録を再開するという手段を取らざるを得なかったという問題があった。
【０００４】
このような問題を解決するために、動画記録中に静止画撮影を動画記録自体を止めることなく実施可能な電子カメラが存在する。これを実現するための技術として例えば動画記録中の静止画撮影時のその瞬間にマーカーをつけておいて動画記録が停止してから静止画に対しての画像処理を実施する技術や動画の画像処理と静止画の画像処理の同時並列処理を実施することで静止画を撮影する技術が存在する。前者の技術では動画の画質やサイズ以上の画質を生成することができない制約が存在するが、後者のほうは動画の記録サイズや画質に関係なく静止画の画質やサイズを別に決定することができる。しかし後者の方は複数のHWが同一のタイミングでデータ転送処理を実施するのでDRAMに対してのバス帯域を圧迫する問題が発生しシステム的な影響があることが懸念される。
【０００５】
これを回避するために、特許文献１には、DRAM使用帯域を低減する機構を設けた撮像装置が開示されている
【先行技術文献】
【特許文献】
【０００６】
【特許文献１】特開２０１２−２１５３８５号公報
【発明の概要】
【発明が解決しようとする課題】
【０００７】
しかしながら、上述の特許文献に開示された従来技術ではさらなるDRAM圧迫要件が存在した時に、対応できなくなりシステムとして破綻してしまう。
【０００８】
また、通常の設計時はDRAM使用パターンごとに帯域オーバーしないように事前設計するが、パターンが掛け算となり膨大になるので各項目に対しては設計が事実上できない。よってワーストケースで見積もることになる。しかしワーストケースをベースに設計するとワーストケース以外のものを犠牲にしてしまう。またワーストケースで設計していた時は多くの場合外部表示(特にHDMI(登録商標))が犠牲にして出力解像度をFULLHDからVGAになっていたが、外部レコーダーで記録をしている時はFULLHD非圧縮動画を撮影したいことが予想されるため、出力解像度だけVGAにするということは避け、他のDRAM帯域を圧迫する要件を削減するべきである。 
【０００９】
そこで、本発明の目的は、動画の記録中に外部機器が接続されている場合であっても破綻なく記録を行うことが可能な装置を提供することを目的とする。
【課題を解決するための手段】
【００１０】
上記の目的を達成するために、本発明の撮像装置は、撮像手段と、メモリと、前記撮像手段により得られた動画データを記録媒体に記録する記録手段と、前記撮像手段により得られた動画データを外部装置に出力する出力手段と、前記記録手段による動画データの記録中に、前記出力手段に接続された前記外部機器が記録装置であるか否かを判別し、前記出力手段に接続された前記外部機器が記録装置でない場合に、前記出力手段から出力する動画データの画面サイズを縮小して出力するように前記出力手段を制御する制御手段とを備えることを特徴とする。
【発明の効果】
【００１１】
本発明の撮像装置によれば、動画の記録中に外部機器が接続されている場合であっても破綻なく記録を行うことができる。
【図面の簡単な説明】
【００１２】
【図１】メモリ帯域の制御処理を示すフローチャートである。
【図２】メモリ帯域の制御処理を示すフローチャートである。
【図３】メモリ帯域の制御処理を示すフローチャートである。
【図４】撮像装置のブロック図である。
【発明を実施するための形態】
【００１３】
以下、本発明の好適な一実施形態について、図面を参照して詳細に説明する。
【００１４】
図４は本発明の一実施形態における画像処理機能を有する撮像装置の構成を示すブロック図である。本実施形態においては、撮像装置としてレンズ交換可能な一眼レフタイプのデジタルスチルカメラを例に挙げて説明する。
【００１５】
図４に示すように、本実施形態の撮像装置は、主にカメラ本体１００と、交換レンズタイプのレンズユニット３００とを備えて構成されている。
【００１６】
レンズユニット３００において、３１０は複数のレンズから成る撮像レンズ、３１２は絞り、３０６はレンズユニット３００をカメラ本体１００と機械的に結合するレンズマウントである。レンズマウント３０６内には、レンズユニット３００をカメラ本体１００と電気的に接続する各種機能が含まれている。３２０は、レンズマウント３０６において、レンズユニット３００をカメラ本体１００と接続するためのインターフェース、３２２はレンズユニット３００を
カメラ本体１００と電気的に接続するコネクタである。
【００１７】
コネクタ３２２は、カメラ本体１００とレンズユニット３００との間で制御信号、状態信号、データ信号などを伝え合うと共に、各種電圧の電流を供給される機能も備えている。また、コネクタ３２２は電気通信のみならず、光通信、音声通信などを用いて通信を行う構成としてもよい。３４０は、測光制御部４６からの測光情報に基づいて、後述するカメラ本体１００のシッター１２を制御するシャッター制御部４０と連携しながら、絞り３１２を制御する絞り制御部である。３４２は撮像レンズ３１０のフォーカシングを制御するフォーカス制御部、３４４は撮像レンズ３１０のズーミングを制御するズーム制御部である。
【００１８】
３５０はレンズユニット３００全体を制御するレンズシステム制御回路である。レンズシステム制御回路３５０は、動作用の定数、変数、プログラムなどを記憶するメモリを備えている。更に、レンズユニット３００固有の番号などの識別情報、管理情報、開放絞り値や最小絞り値、焦点距離などの機能情報、現在や過去の各設定値などを保持する不揮発性メモリも備えている。
【００１９】
次に、カメラ本体１００の構成について説明する。
【００２０】
１０６はカメラ本体１００とレンズユニット３００を機械的に結合するレンズマウント、１３０，１３２はミラーで、撮像レンズ３１０に入射した光線を一眼レフ方式によって光学ファインダー１０４に導く。なお、ミラー１３０はクイックリターンミラーの構成としても、ハーフミラーの構成としても、どちらでも構わない。１２はフォーカルプレーン式のシャッター、１４はＣＣＤ、ＣＭＯＳセンサ等からなり、被写体像を光電変換する撮像素子である。撮像素子１４の前方には、光学ローパスフィルター等の光学素子１４ａが配置されている。
【００２１】
撮像レンズ３１０に入射した光線は、一眼レフ方式によって光量制限手段である絞り３１２、レンズマウント３０６及び１０６、ミラー１３０、シャッター１２を介して導かれ、光学像として撮像素子１４上に結像される。
【００２２】
１６は、撮像素子１４から出力されるアナログ信号（出力信号）をデジタル信号に変換するＡ／Ｄ変換器である。１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００２３】
２０は画像処理回路であり、Ａ／Ｄ変換器１６からのデータ或いはメモリ制御回路２２からのデータに対して所定の画素補間処理や色変換処理を行う。また、画像処理回路２０は、必要に応じて、Ａ／Ｄ変換器１６から出力される画像データを用いて所定の演算処理を行う。得られた演算結果に基づいてシステム制御回路５０がシャッター制御部４０、焦点調節部４２を制御するための、コントラスト方式のオートフォーカス（ＡＦ）処理、自動露出（ＡＥ）処理、フラッシュプリ発光（ＥＦ）処理を行うことができる。さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００２４】
２２はメモリ制御回路であり、Ａ／Ｄ 変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００２５】
２４は画像表示メモリ、２６はＤ／Ａ変換器、２８はＴＦＴ方式のＬＣＤ等から成る画像表示部であり、画像表示メモリ２４に書き込まれた表示用の画像データはＤ／Ａ変換器２６を介して画像表示部２８により表示される。画像表示部２８を用いて、撮像した画像データを逐次表示することで、電子ビューファインダー（ＥＶＦ）機能を実現することができる。また、画像表示部２８は、システム制御回路５０の指示により任意に表示をＯＮ／ＯＦＦすることが可能であり、表示をＯＦＦにした場合にはカメラ本体１００の電力消費を大幅に低減することができる。
【００２６】
３０は撮影した静止画像あるいは動画像を格納するためのメモリであり、所定枚数の静止画像あるいは所定量の動画像を格納するのに十分な記憶容量を備えている。これにより、複数枚の静止画像を連続して撮影する連写撮影やパノラマ撮影の場合にも、高速かつ大量の画像書き込みをメモリ３０に対して行うことが可能となる。また、動画撮影時には、所定レートで連続的に書き込まれる画像のフレームバッファとして使用される。さらに、メモリ３０はシステム制御回路５０の作業領域としても使用することが可能である。
【００２７】
３１は複数の画像を合成して1枚の合成写真を作成する画像合成回路である。メモリ３０に書き込まれている画像データを複数同時に読み込み、回路内で合成処理を実施し、作成された合成画像データはメモリ３０に書き込まれる。合成回路としては、Ａ／Ｄ変換器１６によって変換されてメモリ制御回路２２によって書き込まれた画像データや、画像処理回路２０によって画像処理された画像データを合成する回路となる。
【００２８】
３２は公知の圧縮方法を用いて画像データを圧縮・伸長する圧縮・伸長回路である。圧縮・伸長回路３２は、メモリ３０に格納された画像を読み込んで圧縮処理或いは伸長処理を行い、処理を終えたデータを再びメモリ３０に書き込む。また、動画像データを所定のフォーマットに圧縮符号化し、又は所定の圧縮符号化データから動画像信号を伸張する機能も有する。
【００２９】
４０はシャッター制御部であり、測光制御部４６からの測光情報に基づいて絞り３１２を制御する絞り制御部３４０と連携しながらシャッター１２を制御する。４２はＡＦ（オートフォーカス）処理を行うための焦点調節部である。レンズユニット３００内の撮像レンズ３１０に入射した光線を絞り３１２、レンズマウント３０６，１０６、ミラー１３０及び焦点調節用サブミラー（不図示）を介して一眼レフ方式で入射させることにより、光学像として結像された画像の合焦状態を測定する。
【００３０】
４６はＡＥ（自動露出）処理を行うための測光制御部である。レンズユニット３００内の撮像レンズ３１０に入射した光線を、絞り３１２、レンズマウント３０６，１０６、ミラー１３０及び測光用サブミラー（図示せず）を介して一眼レフ方式で入射させることにより、光学像として結像された画像の露出状態を測定する。
【００３１】
また、焦点調節部４２による測定結果と、Ａ／Ｄ変換器１６からの画像データを画像処理回路２０によって演算した演算結果とを用いて、ＡＦ制御を行うようにしてもよい。さらに、測光制御部４６による測定結果と、Ａ／Ｄ変換器１６からの画像データを画像処理回路２０によって演算した演算結果とを用いて露出制御を行うようにしてもよい。
【００３２】
５０はカメラ本体１００全体を制御するシステム制御回路であり、周知のＣＰＵなどを内蔵する。５２はシステム制御回路５０の動作用の定数、変数、プログラム等を記憶するメモリである。
【００３３】
５４はシステム制御回路５０でのプログラムの実行に応じて、文字、画像、音声などを用いて動作状態やメッセージなどを外部に通知するための通知部である。通知部５４としては、例えばＬＣＤやＬＥＤなどによる視覚的な表示を行う表示部や音声による通知を行う発音素子などが用いられるが、通知部５４はこれらのうち１つ以上の組み合わせにより構成される。特に、表示部の場合には、カメラ本体１００の操作部７０近辺の、視認しやすい、単数あるいは複数箇所に設置される。また、通知部５４は、その一部の機能が光学ファインダー１０４内に設置されている。
【００３４】
通知部５４の表示内容の内、ＬＣＤなどの画像表示部２８に表示するものとしては以下のものがある。まず、単写／連写撮影表示、セルフタイマー表示等、撮影モードに関する表示がある。また、圧縮率表示、記録画素数表示、記録枚数表示、残撮影可能枚数表示等の記録に関する表示がある。また、シャッター速度表示、絞り値表示、露出補正表示、調光補正表示、外部フラッシュ発光量表示、赤目緩和表示等の撮影条件に関する表示がある。その他に、マクロ撮影表示、ブザー設定表示、電池残量表示、エラー表示、複数桁の数字による情報表示、記録媒体２００の着脱状態表示がある。更に、レンズユニット３００の着脱状態表示、通信Ｉ／Ｆ動作表示、日付・時刻表示、外部コンピュータとの接続状態を示す表示等も行われる。
【００３５】
また、通知部５４の表示内容のうち、光学ファインダー１０４内に表示するものとしては、例えば、以下のものがある。合焦表示、撮影準備完了表示、手振れ警告表示、フラッシュ充電表示、フラッシュ充電完了表示、シャッター速度表示、絞り値表示、露出補正表示、記録媒体書き込み動作表示等である。
【００３６】
５６は後述するプログラムなどが格納された電気的に消去・記録可能な不揮発性メモリであり、例えばＥＥＰＲＯＭ等が用いられる。
【００３７】
５８は光学情報格納メモリであり、レンズユニット３００からコネクタ１２２を介して得られる、後述する各種レンズ情報を記憶する。
【００３８】
６０，６２，６４，７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３９】
ここで、これらの操作手段の具体的な説明を行う。
【００４０】
６０はモードダイアルスイッチで、自動撮影モード、プログラム撮影モード、シャッター速度優先撮影モード、絞り優先撮影モード、マニュアル撮影モード、焦点深度優先（デプス）撮影モード等の各機能撮影モードを切り替え設定することができる。他に、ポートレート撮影モード、風景撮影モード、接写撮影モード、スポーツ撮影モード、夜景撮影モード、パノラマ撮影モードなどの各機能撮影モードを切り替え設定することもできる。
【００４１】
６２はシャッタースイッチＳＷ１で、不図示のシャッターボタンの操作途中（例えば半押し）でＯＮとなり、ＡＦ処理、ＡＥ処理、ＡＷＢ処理、ＥＦ処理等の動作開始を指示する。
【００４２】
６４はシャッタースイッチＳＷ２で、不図示のシャッターボタンの操作完了（例えば全押し）でＯＮとなり、露光処理、現像処理、及び記録処理からなる一連の処理の動作開始を指示する。まず、露光処理では、撮像素子１４から読み出した信号をＡ／Ｄ変換器１６、メモリ制御回路２２を介してメモリ３０に書き込み、更に、画像処理回路２０やメモリ制御回路２２での演算を用いた現像処理が行われる。更に、記録処理では、メモリ３０から画像データを読み出し、圧縮・伸張回路３２で圧縮を行い、記録媒体２００に書き込む。
【００４３】
７０は各種ボタンやタッチパネルなどから成る操作部である。一例として、ライブビュー開始／停止ボタン、動画記録開始／停止ボタン、メニューボタン、セットボタン、マルチ画面再生改ページボタン、フラッシュ設定ボタン、単写／連写／セルフタイマー切り替えボタン、メニュー移動＋（プラス）ボタン、メニュー移動−（マイナス）ボタンを含む。更に、再生画像移動＋（プラス）ボタン、再生画像移動−（マイナス）ボタン、撮影画質選択ボタン、露出補正ボタン、調光補正ボタン、外部フラッシュ発光量設定ボタン、日付／時間設定ボタンなども含む。なお、上記プラスボタン及びマイナスボタンの各機能は、回転ダイアルスイッチを備えることによって、より軽快に数値や機能を選択することが可能となる。
【００４４】
また、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチがある。また、ＪＰＥＧ圧縮の圧縮率を選択するため、あるいは撮像素子の信号をそのままデジタル化して記録媒体に記録するＲＡＷモードを選択するためのスイッチである圧縮モードスイッチがある。また、ワンショットＡＦモードとサーボＡＦモードとを設定可能なＡＦモード設定スイッチなどがある。ワンショットＡＦモードでは、シャッタースイッチＳＷ１（６２）を押した際にオートフォーカス動作を開始し、一旦合焦した場合、その合焦状態を保ち続ける。サーボＡＦモードでは、シャッタースイッチＳＷ１（６２）を押している間、連続してオートフォーカス動作を続ける。
【００４５】
８０は電源制御部で、電池検出回路、ＤＣ−ＤＣコンバータ、通電するブロックを切り替えるスイッチ回路等により構成されている。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４６】
８２，８４はコネクタ、８６はアルカリ電池やリチウム電池等の一次電池、ＮｉＣｄ電池やＮｉＭＨ電池、Ｌｉ‐ｉｏｎ電池、Ｌｉポリマー電池等の二次電池、ＡＣアダプター等からなる電源部である。
【００４７】
９０はメモリカードやハードディスク等の記録媒体やＰＣとのインターフェース、９２はメモリカードやハードディスク等の記録媒体やＰＣと接続を行うコネクタである。９８はコネクタ９２に記録媒体２００が装着されているか否かを検知する記録媒体着脱検知回路である。
【００４８】
インターフェース及びコネクタとしては、種々の記憶媒体の規格に準拠したものを用いて構成することが可能である。例えば、各種のメモリカードである。インターフェース９０、そしてコネクタ９２をメモリカードの規格に準拠したものを用いて構成した場合、各種通信カードを接続することができる。通信カードとしては、ＬＡＮカードやモデムカード、ＵＳＢ（Universal Serial Bus）カード、ＩＥＥＥ（Institute of Electrical and Electronic Engineers）１３９４カードがある。他にも、Ｐ１２８４カード、ＳＣＳＩ（Small Computer System Interface）カード、ＰＨＳ等がある。これら各種通信カードを接続することにより、他のコンピュータやプリンタ等の周辺機器との間で画像データや画像データに付属した管理情報を転送し合うことができる。
【００４９】
１０４は光学ファインダーであり、撮像レンズ３１０に入射した光線を、一眼レフ方式によって、絞り３１２、レンズマウント３０６，１０６、ミラー１３０，１３２を介して導き、光学像として結像させて表示することができる。これにより、画像表示部２８による電子ファインダー機能を使用すること無しに、光学ファインダーのみを用いて撮影を行うことが可能である。また、光学ファインダー１０４内には、通知部５４の一部の機能、例えば、合焦状態、手振れ警告、フラッシュ充電、シャッター速度、絞り値、露出補正などが表示される。
【００５０】
１２０はレンズマウント１０６内でカメラ本体１００をレンズユニット３００と接続するためのインターフェースである。
【００５１】
１２２はカメラ本体１００をレンズユニット３００と電気的に接続するコネクタである。また、レンズマウント１０６及びコネクタ１２２にレンズユニット３００が装着されているか否かは、不図示のレンズ着脱検知部により検知される。コネクタ１２２はカメラ本体１００とレンズユニット３００との間で制御信号、状態信号、データ信号などを伝え合うと共に、各種電圧の電流を供給する機能も備えている。
【００５２】
また、コネクタ１２２は電気通信だけでなく、光通信、音声通信により通信を行う構成としてもよい。
【００５３】
２００はメモリカードやハードディスク等の記録媒体である。この記録媒体２００は、半導体メモリや磁気ディスク等から構成される記録部２０２、カメラ本体１００とのインターフェース２０４、カメラ本体１００と接続を行うコネクタ２０６を備えている。
【００５４】
記録媒体２００としては、ＰＣＭＣＩＡカードやコンパクトフラッシュ（登録商標）等のメモリカード、ハードディスク等を用いることができる。また、マイクロＤＡＴ、光磁気ディスク、ＣＤ−ＲやＣＤ−ＲＷ等の光ディスク、ＤＶＤ等の相変化型光ディスク等で構成されていても勿論構わない。
【００５５】
以下、図１−図３を参照して、本発明の第一の実施例について記録装置に適用した場合について説明する。
【００５６】
まずメモリ帯域の制御処理について図１のフローチャートを用いて説明する。最初にS100においてDRAM帯域調整の処理をスタートする。
【００５７】
S101において、操作部材により動画記録が開始された状態を参照して動画記録中か否かを判別する。動画記録中でなかった場合はDRAMの帯域を圧迫するような状況ではないのでS108において本実施例としては終了する。動画記録中だった場合、S102において外部レコーダーに接続されているか否かについて判別する。外部レコーダーに接続されているか否かはHDMI接続だった場合はSink機器のROMデータであるEDIDをDDCラインから取得しその中の情報を解析し接続先のSink機器情報を判別する。Detailed Timing Descriptionのメーカー名で判別してもよいし、ベンダー/プロダクトIDから判別してもよい。
【００５８】
S102において、接続された外部機器がレコーダー（記録装置）以外の装置である場合、即ち外部レコーダーに接続されていないと判断した場合、表示の解像度を下げることでDRAM帯域の低減を図るべくS104において外部出力解像度をVGAに下げる。そしてS108において本実施例としては終了する。
【００５９】
S102において外部レコーダーに接続されていると判断した場合、S103使用しているDRAM帯域動的算出アルゴリズムを介してある瞬間でもバスに流れるデータ量を取得し、あらかじめ定められた閾値と比較しその閾値を超えているか否かの判別を実施する。もしDRAM帯域算出アルゴリズムの出力結果が閾値を超えていない場合はDRAMの帯域を圧迫するような状況ではないのでS108において本実施例としては終了する。
【００６０】
もしS103において閾値を超えている場合は、その要因が何であるかを判別する処理に移行する。S105においてカード書き込み速度がある一定の閾値以上かどうかを判別し、カード書き込み要因でDRAMの帯域が圧迫されているかどうかの判別を実施する。
【００６１】
もしカード書き込み要因でDRAMの帯域が圧迫されていると判断した場合、S106にてDRAM帯域動的調整１が開始される。これについては図２のフローチャートで詳細を説明する。
【００６２】
もしカード書き込み要因ではない場合は、S107にてDRAM帯域動的調整2が開始される。これについては図３のフローチャートで詳細を説明する。S107について今回は例としてOSDの描画量を想定している。S106かS107のDRAM帯域動的調整のいずれかを実施したのち、S108においてDRAM帯域調整を終了とする。
【００６３】
次にメモリ帯域の制御処理ついて図２のフローチャートを用いて説明する。
【００６４】
S200においてDRAM帯域動的調整１をスタートさせる。次にS201においてUSBを通して画像をPCに転送している状態かつ画像を撮影中かどうかの判別を実施する。撮影中でないと判断した場合S202においてOSDMUTEをかける。これによりOSDに纏わるDRAMの読み書きが無くなるためDRAMの帯域低減に貢献することができる。S203においてそれでも帯域が閾値を超えているかどうかを判別する。結果まだ閾値を超えている場合はS204において画像の転送レートをUSB3.0から2.0に下げることでDRAMの使用帯域低減を実施する。閾値を超えていない場合は、S212においてDRAM帯域調整を終了する。S205においてS204までを実施してもなお帯域が閾値を超えているかどうかを判別し、超えている場合はS206において撮影画像転送も中断させる。閾値を超えていない場合は、S212においてDRAM帯域調整を終了する。
【００６５】
またS201において画像をUSBを通して画像をPCに転送している状態かつ撮影中でないと判断した場合は同じく、S207においてTFT側でOSDMUTEをかけるが、その後S208においてDRAM帯域が閾値を超えているかどうかを判別し、超えている場合はS209において撮影画像転送を中断させる。閾値を超えていない場合は、S212においてDRAM帯域調整を終了する。S210においてDRAM帯域が閾値を超えているかどうかを判別し、超えている場合はS211において画像の転送レートをUSB3.0から2.0に下げることでDRAMの使用帯域低減を実施する。閾値を超えていない場合は、S212においてDRAM帯域調整を終了する。そしてS212でDRAM帯域動的調整１を終了する。
【００６６】
次にメモリ帯域の制御処理について図３のフローチャートを用いて説明する。
【００６７】
S300においてDRAM帯域動的調整2をスタートさせる。次にS301においてUSBを通して画像をPCに転送している状態かつ画像を撮影中かどうかの判別を実施する。撮影中であると判断した場合S302において撮影画像転送も中断させる。S303においてそれでも帯域が閾値を超えているかどうかを判別する。結果まだ閾値を超えている場合はS304において画像の転送レートをUSB3.0から2.0に下げることでDRAMの使用帯域低減を実施する。S305においてS304までを実施してもなお帯域が閾値を超えているかどうかを判別し、超えている場合はS306においてOSDMUTEをかける。これによりOSDに纏わるDRAMの読み書きが無くなるためDRAMの帯域低減に貢献することができる。
【００６８】
またS301において画像をUSBを通して画像をPCに転送している状態かつ撮影中でないと判断した場合は、S311において画像の転送レートをUSB3.0から2.0に下げることでDRAMの使用帯域低減を実施する。S308においてDRAM帯域が閾値を超えているかどうかを判別し、超えている場合はS309において撮影画像転送を中断させる。S310においてDRAM帯域が閾値を超えているかどうかを判別し、超えている場合はS311においてOSDMUTEをかける。そしてS312でDRAM帯域動的調整２を終了する。
【００６９】
以上により、外部レコーダーで記録時にもHDMI表示を優先して外部レコーダーで
の録画データを欠落させることなくシステム性能を確保することが可能となる。
【００７０】
以上、本発明の好ましい実施形態について説明したが、本発明はこれらの実施形態に限定されず、その要旨の範囲内で種々の変形及び変更が可能である。
【符号の説明】
【００７１】
１００  カメラ本体、３００  レンズユニット
【図１】
2016208207.tif 000003
【図２】
2016208207.tif 000004
【図３】
2016208207.tif 000005
【図４】
2016208207.tif 000006